(57)【要約】【課題】撮影したシーンから所望のシーンを容易に検索することができるようにした記録システム、撮像装置、記録装置及び再生システム並びに記録方法及び再生方法を提供する。【解決手段】ビデオカメラ１は、着脱可能なカセットテープ２５の識別情報とこのカセットテープ２５に記録された撮影データの開始位置及び終了位置とを含む記録位置情報を記憶する不揮発性メモリ２８と、カセットテープ２５に記録された撮影データのクレードル７への蓄積を制御する中央処理マイコン３３とを備え、中央処理マイコン３３は、クレードル７との接続を検出することにより撮像データをクレードル７に転送し、この撮影データとともにその記録位置情報をＵＳＢ接続ＨＤＤ３４に蓄積させる。【選択図】図３
2007006282.tif 000002
【特許請求の範囲】
【請求項１】
撮像装置と、当該撮像装置と接続し、撮像装置により撮像された撮影データを蓄積する記録装置とからなる記録システムにおいて、
上記撮像装置は、
被写体を撮影する撮像手段と、
上記撮像手段により撮影された撮影データを着脱可能な記録媒体に記録する記録手段と、
上記記録媒体の識別情報と当該記録媒体に記録された撮影データの開始位置及び終了位置とを含む記録位置情報を記憶する記憶手段と、
上記記録媒体に記録された撮影データを上記記録装置へ転送し、撮像データの蓄積を制御する制御手段とを備え、
上記記録装置は、
上記記録媒体に記録された撮影データを蓄積する蓄積手段を備え、
上記制御手段は、上記記録装置との接続を検出することにより上記撮像データを転送し、上記撮影データとともに当該撮影データの記録位置情報を上記蓄積手段に蓄積させることを特徴とする記録システム。
【請求項２】
上記制御手段は、上記蓄積手段に撮影データを蓄積させた際、当該記録位置情報を上記記憶手段から消去することを特徴とする請求項１記載の記録システム。
【請求項３】
上記撮像装置は、上記撮像手段により撮影された撮影データの記録媒体における記録位置に応じて上記記録位置情報を書き換える書換手段を備えることを特徴とする請求項１記載の記録システム。
【請求項４】
上記撮像装置は、上記記録媒体に記録された撮影データを再生し符号化する符号化手段を備え、
上記制御手段は、上記符号化手段により符号化された撮影データを上記蓄積手段に蓄積させることを特徴とする請求項１記載の記録システム。
【請求項５】
上記制御手段は、上記撮像手段により連続撮影されたシーン毎に撮影データをファイル化し、上記蓄積手段に蓄積させることを特徴とする請求項１記載の記録システム。
【請求項６】
上記撮像装置は、充電池を備え、
上記記録装置は、上記充電池を充電する充電手段を備えることを特徴とする請求項１記載の記録システム。
【請求項７】
上記制御手段は、ＵＳＢ（Universal Serial Bus）により上記蓄積手段へ撮影データを蓄積させることを特徴とする請求項１記載の記録システム。
【請求項８】
撮影した撮影データを転送し、記録装置に備えられた蓄積手段に蓄積させるようにした撮像装置において、
被写体を撮影する撮像手段と、
上記撮像手段により撮影された撮影データを着脱可能な記録媒体に記録する記録手段と、
上記記録媒体の識別情報と当該記録媒体に記録された撮影データの開始位置及び終了位置とを含む記録位置情報を記憶する記録位置情報記憶手段と、
上記記録媒体に記録された撮影データの上記記録装置への蓄積を制御する制御手段とを備え、
上記制御手段は、上記記録装置との接続を検出することにより上記撮像データを転送し、上記撮影データとともに当該撮影データの記録位置情報を上記蓄積手段に蓄積させることを特徴とする撮像装置。
【請求項９】
撮影データを着脱可能な記録媒体に記録する記録手段を備える撮像装置と接続し、上記記録媒体に記録された撮影データを蓄積する記録装置において、
上記記録媒体に記録された撮影データとともに上記記録媒体の識別情報と当該記録媒体に記録された撮影データの開始位置及び終了位置とを含む記録位置情報を蓄積する蓄積手段を備えることを特徴とする記録装置。
【請求項１０】
被写体を撮影する撮像手段と、上記撮像手段により撮影された撮影データを着脱可能な記録媒体に記録する記録手段とを備える撮像装置と、上記記録媒体に記録された撮影データが蓄積された記録装置とからなる再生システムにおいて、
上記記録装置は、
上記記録媒体に記録された撮影データとともに上記記録媒体の識別情報と当該記録媒体に記録された撮影データの開始位置及び終了位置とを含む記録位置情報が蓄積された蓄積手段を備え、
上記撮像装置は、
上記記録装置との接続を検出することにより上記蓄積手段に蓄積された撮像データと記録位置情報とを読み出し、上記撮影データの代表画像を一覧表示する表示手段と、
上記一覧表示された代表画像の中から選択された撮影データを上記蓄積手段から又は上記記録媒体から再生する再生手段とを備える
ことを特徴とする再生システム。
【請求項１１】
上記再生手段は、上記記録媒体から撮影データを再生する際、上記記録位置情報に基づいて撮影データの頭出しを行うことを特徴とする請求項１０記載の再生システム。
【請求項１２】
上記撮像装置は、充電池を備え、
上記記録装置は、上記充電池を充電する充電手段を備えることを特徴とする請求項１０記載の再生システム。
【請求項１３】
上記再生手段は、ＵＳＢ（Universal Serial Bus）により上記蓄積手段から撮影データを再生することを特徴とする請求項１０記載の再生システム。
【請求項１４】
撮影データを記録媒体に記録する記録手段を備える撮像装置から出力された上記撮影データを、蓄積手段を備える記録装置に記録する記録方法において、
上記撮影データを記録媒体に記録する際、上記記録媒体の識別情報と当該記録媒体に記録された撮影データの開始位置及び終了位置とを含む記録位置情報を記憶手段に記憶し、
上記記録装置との接続を検出することにより上記撮像データと上記記録位置情報を上記記録装置に転送し、
上記記憶手段に記憶された記録位置情報と上記蓄積手段に蓄積された記録位置情報とに基づいて上記撮影データを上記蓄積手段に重複無く蓄積する
ことを特徴とする記録方法。
【請求項１５】
撮像装置により撮影された撮影データを再生する再生方法において、
上記撮影データを記録媒体に記録する記録手段と上記撮影データを再生する再生手段とを備える撮像装置と、上記記録媒体に記録された撮影データとともに上記記録媒体の識別情報と当該記録媒体に記録された撮影データの開始位置及び終了位置とを含む記録位置情報が蓄積された蓄積手段を備える記録装置との接続を検出することにより、上記蓄積手段から撮像データとともに上記記録位置情報を読み出し、上記撮影データの代表画像を表示手段に一覧表示し、
上記一覧表示された代表画像の中から選択された撮影データを上記記録装置から又は上記記録媒体から再生する
ことを特徴とする再生方法。
【発明の詳細な説明】
【技術分野】
【０００１】
本発明は、家庭用や個人用のビデオカメラで撮影された撮影データを記録再生する記録システム、撮像装置、記録装置及び再生システム並びに記録方法及び再生方法に関する。
【背景技術】
【０００２】
家庭用や個人用のビデオカメラは、撮影したい時に数十秒〜数分程度を１つのシーンとして、１つのテープカセット内に複数のシーンを録画する。そして、このテープカセットの側面にシーンの内容を示すタイトル等を書き込むことにより、録画されたシーンを管理している。
【０００３】
【特許文献１】特開２００１−２８７２３号公報
【発明の開示】
【発明が解決しようとする課題】
【０００４】
従来のテープカセットの側面にシーンの内容を示すタイトル等を書き込む方法では、撮影したカセットテープの数が多くなると、どのカセットテープにどのような内容のシーンを撮影したか、簡単に見つけることは困難である。
【０００５】
また、１本のカセットテープに、複数のシーンが記録されている場合、該当するカセットテープが見つかっても、所望するシーンが記録されている位置を探すのは、簡単ではない。
【０００６】
そこで、特許文献１に記載の技術では、各シーンについての情報と記録開始部分の静止画をＩＣメモリに記録するようにして検索性を高め、頭出しを容易に行えるようにしている。しかし、その静止画からシーンの内容が理解できない場合には、カセットテープから再生して確認しなければならない。
【０００７】
本発明は、このような課題を解決するために提案されたものであり、撮影したシーンから所望のシーンを容易に検索することができるようにした記録システム、撮像装置、記録装置及び再生システム並びに記録方法及び再生方法を提供することを目的とする。
【課題を解決するための手段】
【０００８】
上記課題を解決するために、本発明に係る記録システムは、撮像装置と、当該撮像装置と接続し、撮像装置により撮像された撮影データを蓄積する記録装置とからなる記録システムにおいて、上記撮像装置は、被写体を撮影する撮像手段と、上記撮像手段により撮影された撮影データを着脱可能な記録媒体に記録する記録手段と、上記記録媒体の識別情報と当該記録媒体に記録された撮影データの開始位置及び終了位置とを含む記録位置情報を記憶する記憶手段と、上記記録媒体に記録された撮影データを上記記録装置へ転送し、撮像データの蓄積を制御する制御手段とを備え、上記記録装置は、上記記録媒体に記録された撮影データを蓄積する蓄積手段を備え、上記制御手段は、上記記録装置との接続を検出することにより上記撮像データを転送し、上記撮影データとともに当該撮影データの記録位置情報を上記蓄積手段に蓄積させることを特徴としている。
【０００９】
また、本発明に係る撮像装置は、撮影した撮影データを転送し、記録装置に備えられた蓄積手段に蓄積させるようにした撮像装置において、被写体を撮影する撮像手段と、上記撮像手段により撮影された撮影データを着脱可能な記録媒体に記録する記録手段と、上記記録媒体の識別情報と当該記録媒体に記録された撮影データの開始位置及び終了位置とを含む記録位置情報を記憶する記録位置情報記憶手段と、上記記録媒体に記録された撮影データの上記記録装置への蓄積を制御する制御手段とを備え、上記制御手段は、上記記録装置との接続を検出することにより上記撮像データを転送し、上記撮影データとともに当該撮影データの記録位置情報を上記蓄積手段に蓄積させることを特徴としている。
【００１０】
また、本発明に係る記録装置は、撮影データを着脱可能な記録媒体に記録する記録手段を備える撮像装置と接続し、上記記録媒体に記録された撮影データを蓄積する記録装置において、上記記録媒体に記録された撮影データとともに上記記録媒体の識別情報と当該記録媒体に記録された撮影データの開始位置及び終了位置とを含む記録位置情報を蓄積する蓄積手段を備えることを特徴としている。
【００１１】
また、本発明に係る再生システムは、被写体を撮影する撮像手段と、上記撮像手段により撮影された撮影データを着脱可能な記録媒体に記録する記録手段とを備える撮像装置と、上記記録媒体に記録された撮影データが蓄積された記録装置とからなる再生システムにおいて、上記記録装置は、上記記録媒体に記録された撮影データとともに上記記録媒体の識別情報と当該記録媒体に記録された撮影データの開始位置及び終了位置とを含む記録位置情報が蓄積された蓄積手段を備え、上記撮像装置は、上記記録装置との接続を検出することにより上記蓄積手段に蓄積された撮像データを読み出し、上記記録位置情報に基づいて撮影データの代表画像を一覧表示する表示手段と、上記一覧表示された代表画像の中から選択された撮影データを上記蓄積手段又は上記記録媒体から再生する再生手段とを備えることを特徴としている。
【００１２】
また、本発明に係る記録方法は、撮影データを記録媒体に記録する記録手段を備える撮像装置から出力された上記撮影データを、蓄積手段を備える記録装置に記録する記録方法において、上記撮影データを記録媒体に記録する際、上記記録媒体の識別情報と当該記録媒体に記録された撮影データの開始位置及び終了位置とを含む記録位置情報を記憶手段に記憶し、上記記録装置との接続を検出することにより上記撮像データと上記記録位置情報を上記記録装置に転送し、上記記憶手段に記憶された記録位置情報と上記蓄積手段に蓄積された記録位置情報とに基づいて上記撮影データを上記蓄積手段に重複無く蓄積することを特徴としている。
【００１３】
また、本発明に係る再生方法は、撮像装置により撮影された撮影データを再生する再生方法において、上記撮影データを記録媒体に記録する記録手段と上記撮影データを再生する再生手段とを備える撮像装置と、上記記録媒体に記録された撮影データとともに上記記録媒体の識別情報と当該記録媒体に記録された撮影データの開始位置及び終了位置とを含む記録位置情報が蓄積された蓄積手段を備える記録装置との接続を検出することにより、上記蓄積手段から撮像データとともに上記記録位置情報を読み出し、上記撮影データの代表画像を表示手段に一覧表示し、上記一覧表示された代表画像の中から選択された撮影データを上記記録装置から又は上記記録媒体から再生することを特徴としている。
【発明の効果】
【００１４】
本発明は、撮像装置により撮影され、記録媒体に記録された撮影データとともに当該撮影データの記録位置情報を記録装置の蓄積手段に蓄積させるようにしたことにより、撮影データを重複無く蓄積手段に蓄積させることができるとともに、再生の際には蓄積手段に蓄積された撮影データを撮像装置に一覧表示するようにしたことにより、ユーザはカセットテープから再生して内容を確認しなくても、所望のシーンを容易に検索、再生することができる。また、カセットテープから再生する場合でも記録位置情報に基づいて所望のシーンを容易に再生及び確認することができる。
【発明を実施するための最良の形態】
【００１５】
以下、本発明を実施するための最良の形態について図面を参照しながら詳細に説明する。具体例として示す記録システムは、カメラ一体型ＶＴＲ（Video tape Recorder）（以下、ビデオカメラという。）を充電器とＨＤＤ（Hard Disk Drive）とを備えたクレードルに載せることにより、ビデオカメラにより撮影された撮影データをクレードル内のＨＤＤにバックアップするものである。また、具体例として示す再生システムは、ビデオカメラにより撮影された所望のシーンをビデオカメラに設けられた表示部に再生するようにしたものである。
【００１６】
図１は、本発明の実施の形態に係るビデオカメラを示す外観斜視図である。図１において、ビデオカメラ１は、被写体の反射光を集光するレンズにより撮像を行うカメラ部２と、カメラ部２により撮像された映像を表示するファインダ３と、カメラ部２で撮像された映像を表示するとともに各種操作画面を表示する表示部４と、カセットテープへの撮像された映像の記録操作を行う録画スタート／ストップボタン５と、録画再生等を切り替えるモード切替スイッチ６とを備えて構成される。また、ビデオカメラ１の底部には、クレードルとデータの送受信を行うための端子（図示せず）及びビデオカメラ１の二次電池の充電を行うための端子（図示せず）が設けられている。
【００１７】
このような構成を有するビデオカメラ１は、図２に示すようなクレードル７と接続することにより、ビデオカメラ１の二次電池の充電を行うとともに、ビデオカメラ１で撮像された撮影データのクレードルへの転送を行う。このクレードル７は、ビデオカメラ１が載せられる接続ユニット８と、コンピュータ等に接続するためのｉ.Ｌｉｎｋ（登録商標）等の外部出力端子９と、撮影データをテレビジョン装置の画面に表示するためのＡＶ（Audio Visual）端子１０と、コンセントから引き込んだ交流電源を直流電源に変換するためのＡＣアダプタ端子１１とを備えて構成されている。また、ビデオカメラ１が載せられる接続ユニット８には、ビデオカメラ１の底部に対応した位置に、ビデオカメラ１とデータの送受信を行う接続端子１２と、ビデオカメラ１の二次電池を充電するための端子（図示せず）とが配置されている。そして、この接続ユニット８にビデオカメラ１を載せることにより、ビデオカメラ１の二次電池を充電するとともに撮影データのクレードル７への転送を行うことができる。
【００１８】
図３は、本実施の形態に係るビデオカメラ１及びクレードル７の内部構成を示すブロック図である。ビデオカメラ１は、被写体の反射光を集光してカメラ部２で撮像を可能とするレンズ２１と、レンズ２１で集光された光を電気信号に変換するＣＣＤ（Charge-Coupled Devices）２２と、ＣＣＤ２２からの電気信号から映像信号のベースバンド信号を生成するベースバンド処理ＬＳＩ（Large Scale Integration）２３と、ベースバンド信号からデジタルビデオ信号を生成するＤＶ（Digital Video）信号処理ＬＳＩ２４と、ＤＶ信号を記録するカセットテープ２５と、カセットテープ２５の記録再生処理を行うメカデッキ２６と、メカデッキ２６を制御するメカデッキ制御マイコン２７と、カセットテープ２５の記録情報を記憶するＥＥＰＲＯＭ（Electrically Erasable Programmable Read-Only Memory）等の不揮発性メモリ２８と、ベースバンド信号からＭＰＥＧデータに符号化又はＭＰＥＧデータをベースバンド信号に復号するＭＰＥＧ（Moving Picture Experts Group）コーデックＬＳＩ２９と、図１に示す表示部４に対応するタッチパネル付き液晶パネル３０と、静止画像等を記憶するメモリスティック（登録商標）等のメモリ３１と、カセットテープ２６への記録操作を行う録画スタート／ストップボタン５と、クレードル７とＭＰＥＧ２信号を送受信するためのＵＳＢ（Universal Serial Bus）ホストコントローラ３２と、上述した各構成部を統括的に制御する中央処理マイコン３３とを備えて構成されている。
【００１９】
また、クレードル７は、ビデオカメラ１で撮像された撮影データを記録するＵＳＢ接続ＨＤＤ３４を備えている。このＵＳＢ接続ＨＤＤ３４は、接続端子１２を介してビデオカメラ１のＵＳＢホストコントローラ３２によって制御される。
【００２０】
また、ベースバンド処理ＬＳＩ２３は、ＣＣＤ２２からの電気信号から色の３原色を表現する３コンポーネントのベースバンド信号（赤、緑、青（ＲＧＢ）コンポーネント信号）を生成する。そして、ＤＶ信号処理ＬＳＩ２４は、ベースバンド信号をＹＵＶ＝４：１：１のデジタルコンポーネント信号に変換し、ＤＶフォーマットの映像信号を生成する。そして、生成された映像信号はメカデッキ制御マイコン２７によってカセットテープ２５に記録される。
【００２１】
このＤＶフォーマットでは、テープに対する磁気ヘッドの斜め走査により斜め記録トラックが形成され、記録トラックには、インサート用データ、トラック情報、オーディオデータ、ビデオデータ、サブコードデータが記録される。
【００２２】
不揮発性メモリ２８には、カセットテープ２５に記録されたトラック情報やカセットテープ２５の識別情報などが記録される。また、後述するカセットテープ２５へ映像信号を記録する際やカセットテープ２５に記録された映像信号をクレードル７に記録する際には、中央処理マイコン３３によって不揮発性メモリ２８のデータの書き換え、消去等行われる。
【００２３】
ＭＰＥＧコーデックＬＳＩ２９は、後述するカセットテープ２５に記録された映像信号をクレードル７に記録する際に再生されたベースバンド信号をＭＰＥＧデータに符号化し、クレードル７の記録領域が大きくならないようにしている。また、ＭＰＥＧコーデックＬＳＩ２９は、ＭＰＥＧデータをベースバンド信号に復号する。
【００２４】
続いて、上述のような構成を備える記録再生システムの概要について図４を用いて説明する。
【００２５】
撮影時、ユーザは、ビデオカメラ１の録画スタート／ストップボタン５を押して、いくつかのシーンを撮影する（ステップＳ１１）。ビデオカメラ１は、シーン毎に録画開始トラックナンバ及び終了トラックナンバを不揮発メモリ２８に保存する（ステップＳ１２）。なお、本明細書ではビデオカメラ１により撮影された、時間が連続している１つの区間を１シーンとする。
【００２６】
撮影終了後、ユーザは、充電のためにビデオカメラ１をクレードル７に載せる（ステップＳ２１）。中央処理マイコン３３は、ビデオカメラ１がクレードル７に載せられたことを検知し（ステップＳ２２）、クレードル７内のＵＳＢ接続ＨＤＤ３４に格納されていないシーンがカセットテープ２５内に記録されているか否かを判断する（ステップＳ２３）。ビデオカメラ１のカセットテープ２５内に、ＵＳＢ接続ＨＤＤ３４に格納されていないシーンがある場合、そのシーンをＵＳＢ接続ＨＤＤ３４に取り込む（ステップＳ２４）。
【００２７】
所望のシーンを再生する場合、ユーザは見たいシーンを探すために、ビデオカメラ１を再生モードとし、インデックスボタンを押す（ステップＳ３１）。ビデオカメラ１は、ＵＳＢ接続ＨＤＤ３４内のカセットテープ毎に作成されたフォルダの先頭ファイルを、表示部４にインデックス表示する（ステップＳ３２）。ユーザは、インデックス表示されたフォルダから、見たいカセットテープを選択する（ステップＳ３３）。これに対し、ビデオカメラ１は、選択されたカセットテープに該当するフォルダ内のシーン毎に作成されたファイルをインデックス表示する（ステップＳ３４）。ユーザは、インデックス表示されたフォルダから、見たいシーンを選択する（ステップＳ３５）。これにより、中央処理マイコン３３は、選択されたシーンをＵＳＢ接続ＨＤＤ３４から読み出し、表示部４に再生する（ステップＳ３６）。
【００２８】
また、高画質なＤＶフォーマットの映像信号で再生したい場合、ユーザはカセットテープからの再生を指定する（ステップＳ３７）。これに対し、ビデオカメラ１は、選択されたシーンが記録されているカセットテープの番号等を表示し、そのカセットテープをメカデッキ２６内に挿入するように促し（ステップＳ３８）、指定されたシーンを頭出しして再生する（ステップＳ３９）。
【００２９】
このような記録再生システムによって、ビデオカメラ１で撮影されたすべてのシーンをクレードル７のＵＳＢ接続ＨＤＤ３４に記録することができるとともに、ビデオカメラ１で撮影されたすべてのシーンを再生することができる。
【００３０】
次に、ステップＳ１１〜ステップＳ１２の撮影時におけるビデオカメラ１の処理について図５に示すフローチャートを用いて説明する。中央処理マイコン３３は、録画可能な状態の場合には、常に録画スタート／ストップボタン５が押されたかを判別し（ステップＳ４１）、録画スタート／ストップボタン５が押された場合には、録画開始の指示を受けたと判断し、録画を開始する（ステップＳ４２）。
【００３１】
ステップＳ４２において録画が開始される際、メカデッキ制御マイコン２７はカセットテープの現在のトラックナンバを取得し、中央処理マイコン３３はこのトラックナンバが有効か否かを判別する（ステップＳ４３）。
【００３２】
トラックナンバが有効な場合、ステップＳ４４に進み、不揮発性メモリ２８に現在のテープ番号と現在のトラックナンバ（ＳｔＴｒ）を記憶する。そして、中央処理マイコン３３は、録画状態の場合には、常に録画スタート／ストップボタン５が押されたかを判別し（ステップＳ４５）、録画スタート／ストップボタン５が押された場合には、録画終了の指示を受けたと判断し、１シーンの録画を終了する（ステップＳ４６）。この際、現在のテープ番号、トラックナンバ（ＳｔＴｒ）をシーンの開始トラックナンバとする。また、現在のトラックナンバを終了トラックナンバとしたシーン情報を、後述する不揮発メモリ２８内で正規化し（ステップＳ４７）、不揮発性メモリ２８に記憶する（ステップＳ４８）。この不揮発性メモリ２８には、図６に示すデータ構造のように、シーン毎にテープ番号、開始トラックナンバ及び終了トラックナンバが記憶される。この例では、８２１６Ｂｙｔｅｓの記憶領域を確保しており、１０２４個のシーン情報を記録することができる。なお、テープＩＤが０になっている状態は、そのシーン情報が無効であることを示す。
【００３３】
また、後述するが、ステップＳ４７における不揮発性メモリ２８内のシーン情報の正規化は、録画開始前にユーザがカセットテープ２５の巻き戻しなどを行い、過去に録画したシーンに今回撮影するシーンが上書きされる場合に行われる。
【００３４】
また、ステップ４３においてトラックナンバが有効でない場合、ステップＳ４９に進み、従来の通常処理を行う（ステップＳ４９）。すなわち、不揮発性メモリ２８にシーン情報を記憶させることなく、従来どおりの録画処理が行われる。
【００３５】
続いて、ステップＳ４７におけるシーン情報の正規化処理について図７に示すフローチャートを用いて説明する。この正規化処理は、中央処理マイコン３３が不揮発性メモリ内のデータを書き換えることにより行われる。ここで、新たに格納するシーン情報のテープＩＤを「ＮｅｗＴａｐｅＩＤ」、開始トラックナンバを「ＮｅｗＳｔＴｒ」、終了トラックナンバを「ＮｅｗＥｎｄＴｒ」とし、過去に格納された不揮発性メモリ内のシーン情報ｎのテープＩＤを「ＭｅｍＴａｐｅＩＤ［ｎ］」、開始トラックナンバを「ＭｅｍＳｔＴｒ［ｎ］」、終了トラックナンバを「ＭｅｍＥｎｄＴｒ［ｎ］」とする。
【００３６】
ステップＳ５１において、不揮発性メモリ内の全てのシーン情報を順に取り出し、新たに格納するシーン情報のテープＩＤと取り出したシーン情報のテープＩＤが一致しているかを判別する（ステップＳ５２）。ここで、ＮｅｗＴａｐｅＩＤ＝ＭｅｍＴａｐｅＩＤ［ｎ］の場合、新たに格納するシーン情報のテープＩＤと取り出したシーン情報のテープＩＤが一致していることからステップＳ５３に進む。また、ＮｅｗＴａｐｅＩＤ≠ＭｅｍＴａｐｅＩＤ［ｎ］の場合、シーン情報ｎに対しての正規化は終了する。
【００３７】
ステップＳ５３では、新たに格納するシーン情報の開始トラックナンバが不揮発性メモリ内のシーン情報ｎの開始トラックナンバ以上、終了トラックナンバ以下であって、新たに格納するシーン情報の終了トラックナンバが不揮発性メモリ内のシーン情報ｎの終了トラックナンバ以上であるか否かを判断する。すなわち、図８に示す条件１のように、ＭｅｍＳｔＴｒ［ｎ］≦ＮｅｗＳｔＴｒ≦ＭｅｍＥｎｄＴｒ［ｎ］、且つ、ＮｅｗＥｎｄＴｒ≧ＭｅｍＥｎｄＴｒ［ｎ］であるか否かを判断する。
【００３８】
新た格納するシーン情報が条件１に示す状態の場合、ステップＳ５４に進み、ＭｅｍＥｎｄＴｒ［ｎ］＝ＮｅｗＳｔＴｒとし（ステップＳ５４）、シーン情報の正規化を終了する。また、新た格納するシーン情報が条件１に示す状態でない場合ステップＳ５５に進む。
【００３９】
ステップＳ５５では、新たに格納するシーン情報の開始トラックナンバが不揮発性メモリ内のシーン情報ｎの開始トラックナンバ以下であって、新たに格納するシーン情報の終了トラックナンバが、不揮発性メモリ内のシーン情報ｎの開始トラックナンバ以上、終了トラックナンバ以下であるか否かを判断する。すなわち、図８に示す条件２のように、ＮｅｗＳｔＴｒ≦ＭｅｍＳｔＴｒ［ｎ］且つ、ＭｅｍＳｔＴｒ［ｎ］≦ＮｅｗＥｎｄＴｒ≦ＭｅｍＥｎｄＴｒ［ｎ］であるか否かを判断する。
【００４０】
新たに格納するシーン情報が条件２に示す状態の場合、ステップＳ５６に進み、ＭｅｍＳｔＴｒ［ｎ］＝ＮｅｗＥｎｄＴｒとし、シーン情報ｎに対しての正規化は終了する。また、新たに格納するシーン情報が条件２に示す状態でない場合ステップＳ５７に進む。
【００４１】
ステップＳ５７では、新たに格納するシーン情報の開始トラックナンバが不揮発性メモリ内のシーン情報ｎの開始トラックナンバ以下、且つ、新たに格納するシーン情報の終了トラックナンバが不揮発性メモリ内のシーン情報ｎの終了トラックナンバ以上であるか否かを判断する。すなわち、図８に示す条件３のように、ＮｅｗＳｔＴｒ≦ＭｅｍＳｔＴｒ［ｎ］且つ、ＮｅｗＥｎｄＴｒ≧ＭｅｍＥｎｄＴｒ［ｎ］であるか否かを判断する。
【００４２】
新たに格納するシーン情報が条件３に示す状態の場合、ステップＳ５８に進み、シーン情報ｎを消去し、ＮｅｗＳｔＴｒ及びＮｅｗＥｎｄＴｒを新たに不揮発性メモリに記憶し、シーン情報ｎに対しての正規化は終了する。また、ステップＳ５７において、新たに格納するシーン情報が条件３に示す状態でない場合ステップＳ５９に進む。
【００４３】
ステップＳ５９では、新たに格納するシーン情報の開始トラックナンバが不揮発性メモリ内のシーン情報ｎの開始トラックナンバ以上、且つ、新たに格納するシーン情報の終了トラックナンバが不揮発性メモリ内のシーン情報ｎの終了トラックナンバ以下であるか否かを判断する。すなわち、図８に示す条件４のように、ＮｅｗＳｔＴｒ≧ＭｅｍＳｔＴｒ［ｎ］且つ、ＮｅｗＥｎｄＴｒ≦ＭｅｍＥｎｄＴｒ［ｎ］であるか否かを判断する。
【００４４】
新たに格納するシーン情報が条件４に示す状態にある場合、ステップＳ６０に進み、し、ＭｅｍＴａｐｅＩＤ［ｍ］＝ＮｅｗＴａｐｅＩＤ、ＭｅｍＳｔＴｒ［ｍ］＝ＮｅｗＥｎｄＴｒ及びＭｅｍＥｎｄＴｒ［ｍ］＝ＭｅｍＥｎｄＴｒ［ｎ］とし、新たに格納するシーン情報によって分けられた部分について新たにシーン情報ｍを作成する（ステップＳ６０）。また、ＭｅｍＥｎｄＴｒ［ｎ］＝ＮｅｗＳｔＴｒとし（ステップＳ６１）、３つのシーン情報に分割して不揮発性メモリに記憶し、シーン情報ｎに対しての正規化は終了する。また、ステップＳ５９において、新たに格納するシーン情報が条件４に示す状態でない場合、すなわち、新たなシーンをカセットテープに上書きして記録しない場合、シーン情報ｎに対しての操作は必要ない。
【００４５】
シーン情報ｎに対しての正規化が終了したら、次のシーン情報ｎ+１を取り出して同様の処理を行う（ステップＳ６２）。
【００４６】
このようにシーン情報を正規化して不揮発性メモリを更新することにより、カセットテープの記録状態を管理することができる。
【００４７】
図９は、撮像操作後、ユーザがビデオカメラ１を充電のためにクレードル７に載せた際のビデオカメラ１の動作を示すフローチャートである。なお。この動作は図４に示すステップＳ２１〜ステップＳ２４におけるビデオカメラ１の処理である。
【００４８】
ステップＳ７１では、中央処理マイコン３３によりクレードル７のＵＳＢ接続ＨＤＤ３４が接続されたか否かが判別される。中央処理マイコン３３は、再生待機状態の時には常にＵＳＢホストコントローラ３２を制御し、ＵＳＢ接続ＨＤＤ３４が接続されていないかを確認している。
【００４９】
ＵＳＢ接続ＨＤＤ３４に接続されていると判断した場合、中央処理マイコン３３は、ビデオカメラ１内にカセットテープ２５がメカデッキ２６内に挿入されているか否かを判別し、カセットテープ２５がメカデッキ２６内に挿入されている場合、ステップＳ７２に進む。
【００５０】
ステップＳ７２及びステップＳ７３において、カセットテープ２に記録されたトラック情報、サブコードデータ等から現在のテープ位置のトラックナンバ（ＴｒＮｏＴｍｐ）と、テープ番号（ＴａＮｏ）とを取得する。
【００５１】
次に、中央処理マイコン３３は、取得したテープ番号（ＴａＮｏ）のシーン情報が不揮発性メモリ２８内に格納されているか否かを判別する（ステップＳ７４）。
【００５２】
ステップＳ７４において、取得したテープ番号（ＴａＮｏ）のシーン情報が不揮発性メモリ２８内に格納されている場合、ステップＳ７５に進み、不揮発性メモリ２８から開始トラックナンバが最小のもの（ＳｃＩｎｆｏ）を取得する。そして、カセットテープ２５を取得した開始トラックナンバ（ＳｃＩｎｆｏ）の位置まで巻き戻し又は早送りする（ステップＳ７６）。
【００５３】
ステップＳ７６において巻き戻し又は早送りが完了した後、開始トラックナンバ（ＳｃＩｎｆｏ）から再生を開始し（ステップＳ７７）、ＵＳＢ接続ＨＤＤ３４内のテープ番号（ＴａＮｏ）に該当するフォルダ内にＭＰＥＧファイルの生成を開始する（ステップＳ７８）。ＭＰＥＧファイルは、ＭＰＥＧコーデックＬＳＩ２９により生成され、ＵＳＢホストコントローラ３２を介してＵＳＢ接続ＨＤＤ３４に記録される。再生中のシーンの終端トラックナンバまで達した場合（ステップＳ７９）、再生を停止し、これまでのデータを１つのファイルとして、ＵＳＢ接続ＨＤＤ３４に記録し、ＭＰＥＧファイルの生成を終了する（ステップＳ８０）。また、ステップＳ８０において、ＵＳＢ接続ＨＤＤ３４にＭＰＥＧファイルを記録した際、このシーンに関する情報を、情報ファイルとして記録する。
【００５４】
そして、今回、ＵＳＢ接続ＨＤＤ３４に記録したシーンに対応するシーン情報を不揮発性メモリから削除し（ステップＳ８１）、ステップＳ７４に戻る。
【００５５】
ステップＳ７４において、取得したテープ番号（ＴａＮｏ）のシーン情報が不揮発性メモリ２８内に格納されていない場合、すなわち、ステップＳ７５〜ステップＳ８１を繰り返し行い、ビデオカメラ１で撮影されたシーンをすべてＵＳＢ接続ＨＤＤ３４に記録した場合、メカデッキ２６内に挿入されたカセットテープ２５にビデオカメラ１で撮影されたシーンが記録されていない場合、又は新しいカセットテープ２５の場合、中央処理マイコン３３は、テープの状態をステップＳ７２で取得した現在のトラックナンバ（ＴｒＮｏＴｍｐ）に巻き戻し又は早送りする（ステップＳ７５）。
【００５６】
図１０は、以上のようなビデオカメラ１のバックアップ動作によりシーンが記録されたＵＳＢ接続ＨＤＤ３４内のフォルダ構造を示す模式図である。図１０に示すように、ＵＳＢ接続ＨＤＤ３４には、カセットテープ毎にフォルダが作成され、そのフォルダ内に各シーンのファイルが作成される。例えば、テープ２のシーン１は、ＴＡＰＥ０００２フォルダ内にＳＣＮ０００１．ＭＰＧとして保存される。また、シーン１に関する情報ファイルがＳＣＮ０００１．ＤＡＴとして同じフォルダ内に保存される。この情報ファイルには、例えば、カセットテープ２５に記録されていた際のシーンの開始トラックナンバ、終了トラックナンバ、撮影日時、ファイルの更新日時等が含まれている。
【００５７】
このようにカセットテープ２５に記録されたシーンをＵＳＢ接続ＨＤＤ３４にバックアップすることにより、既にバックアップ済みのシーンを再度バックアップするようなことがないだけでなく、ＵＳＢ接続ＨＤＤ３４の記録容量を無駄に圧迫するようなことがない。
【００５８】
次に、ビデオカメラ１がクレードル７に載せられた状態におけるシーンの再生について図１１に示すフローチャートを用いて説明する。まず、ユーザによってメニュー又は外部入力キーなどによりシーンの再生が指示されることにより、シーンの検索を開始する（ステップＳ８１）。中央処理マイコン３３は、ユーザからの指示に応じてＵＳＢ接続ＨＤＤ３４内のテープ毎に作成されたフォルダを一覧表示する（ステップＳ８２）。この一覧表示されたフォルダは、例えば、図１２（ａ）に示すように、フォルダ内の代表的なシーンのサムネイルで表示される。この表示されるサムネイルには、例えばフォルダ内の先頭ファイルの静止画像を用いることができる。
【００５９】
そして、テープ毎のサムネイルが表示されたテープ一覧表示からユーザに所望のテープの選択を指示し（ステップＳ８３）、ユーザは所望のテープのフォルダを選択する。これに応じて中央処理マイコン３３は、該当するフォルダ内のシーン毎のファイルを図１２（ｂ）に示すように一覧表示する（ステップＳ８４）。このファイルもファイル内のシーンを代表するサムネイルで表示され、ユーザは容易に再生したいシーンを選択することができる。
【００６０】
ステップＳ８５では、ユーザにより図１２（ｂ）に示すようなシーン一覧から所望のシーンが選択される。そして、中央処理マイコン３３は、選択されたシーンのファイルをＵＳＢ接続ＨＤＤ３４から読み出し、ＭＰＥＧコーデックＬＳＩ２９によりベースバンド信号に復号し、ベースバンド処理ＬＳＩ２３を介して図１２（ｃ）に示すような動画像を再生する（ステップＳ８６）。
【００６１】
ステップＳ８７では、ＵＳＢ接続ＨＤＤ３４に記録されたＭＰＥＧファイルから再生するか、カセットテープ２５から再生するかの選択をユーザに指示する。ユーザが図１２（ｃ）に示す「テープから再生」ボタンを選択した場合、ステップＳ８８に進み、指定されたシーンが現在挿入されているカセットテープ２５内に記録されているか否かを判別する。この判別は、ＭＰＥＧファイルとともに記録された情報ファイルを参照して行われる。現在挿入されているカセットテープ２５内に指定されたシーンが記録されていない場合、中央処理マイコン３３は、ユーザにテープ番号などを通知し、ユーザにカセットテープ２５の入れ替えを指示する（ステップＳ８９）。
【００６２】
該当するシーンが記録されたカセットテープ２５が挿入された場合、ＵＳＢ接続ＨＤＤ３４内の該当シーンの情報ファイルから先頭トラックナンバを取得する（ステップＳ９０）。そして、その先頭トラックナンバまで、早送り又は巻き戻しして頭出しを行い、再生を開始する（ステップＳ９１）。
【００６３】
このようにＵＳＢ接続ＨＤＤ３４を用いて、カセットテープ２５に記録されたシーンをバックアップすることにより、数が増えるに従い煩雑になるテープの管理作業をユーザの負担を増やすことなく容易に行うことができる。
【００６４】
また、一覧表示されたシーンから所望のシーンを動画再生して確認することにより、ユーザは静止画で確認するよりも容易に内容を理解することができる。
【００６５】
なお、上記実施の形態では、ビデオカメラ１で撮像したシーンをバックアップする記録媒体にＵＳＢ接続ＨＤＤ３４を用いることとしたが、これに限られるものではない。
【図面の簡単な説明】
【００６６】
【図１】本発明の一実施形態に係るビデオカメラを示す概観図である。
【図２】本発明の一実施形態に係るビデオカメラを示す概観図である。
【図３】本実施の形態に係るビデオカメラ及びクレードルの内部構成を示すブロック図である。
【図４】本発明の一実施形態に係るビデオカメラの処理の概略を説明するための図である。
【図５】ビデオカメラの記録処理を示すフローチャートである。
【図６】ビデオカメラの不揮発メモリを説明するための図である。
【図７】不揮発性メモリのデータの書き換え処理を示すフローチャートである。
【図８】不揮発性メモリのデータの書き換えを説明するための図である。
【図９】ビデオカメラの撮影データをクレードルにバックアップする処理を示すフローチャートである。
【図１０】ＵＳＢ接続ＨＤＤに記録された撮影データを説明するための模式図である。
【図１１】ビデオカメラの再生処理を示すフローチャートである。
【図１２】表示部に表示される画面例を示す図である。
【符号の説明】
【００６７】
１  ビデオカメラ、２  カメラ部、３  ファインダ、４  表示部、５  録画スタート／ストップボタン、６  モード切替スイッチ、７  クレードル、８  接続ユニット、９  外部出力端子、１０  ＡＶ出力端子、１１  ＡＣアダプタ端子、１２  接続端子、２１  レンズ、２２  ＣＣＤ、２３  ベースバンド処理ＬＳＩ、２４  ＤＶ処理ＬＳＩ、２５  カセットテープ、２６  メカデッキ、２７  メカデッキ制御アイコン、２８  不揮発性メモリ、２９  ＭＰＥＧコーデックＬＳＩ、３０  タッチパネル付き液晶パネル、３１  メモリ、３２  ＵＳＢホストコントローラ、３３  中央処理マイコン、３４  ＵＳＢ接続ＨＤＤ
【図１】
2007006282.tif 000003
【図２】
2007006282.tif 000004
【図３】
2007006282.tif 000005
【図４】
2007006282.tif 000006
【図５】
2007006282.tif 000007
【図６】
2007006282.tif 000008
【図７】
2007006282.tif 000009
【図８】
2007006282.tif 000010
【図９】
2007006282.tif 000011
【図１０】
2007006282.tif 000012
【図１１】
2007006282.tif 000013
【図１２】
2007006282.tif 000014